(57)【要約】【課題】装着状態においてランプピンが露出することなく、且つ作業性を向上させた照明器具を提供する。【解決手段】照明器具Ａは、金属製であって略平板状の器具本体６と、器具本体６の所定の位置に固定されたランプソケット１と、ランプソケット１を介して器具本体６に取付けられるランプ５とを備えている。ランプ５は、管中間部を中心として略一平面において渦巻状に旋回する発光管２を有し、発光管２の長さ方向両端部には先端側に２本の平行なランプピン４が突設された口金３がそれぞれ設けられ、両口金３、３は連結部７により一体に連結されている。器具本体６の一方の面にはランプソケット１が固定されており、ランプ５を器具本体６の所定の位置に配置した状態において、連結部７に対してランプソケット１と反対側の部位には、連結部７と当接してランプ５の移動を規制する規制立片４５が器具本体６の一部を切り起こして立設されている。【選択図】図１
2008243626.tif 000002
【特許請求の範囲】
【請求項１】
管中間部を中心として略一平面において渦巻状に旋回する発光管、並びに、当該発光管の両端部にそれぞれ設けられ先端側に受電用の一対のランプピンが突設された口金及び両口金の間を連結する連結部からなる口金部を具備したランプの口金が装着されるランプソケットと、ランプソケットが配設された器具本体とを備え、ランプソケットは、装着状態においてランプピンの突出方向と交差する方向から当該ランプピンに接触する給電用の接触子を有し、装着状態において前記口金部に当接することによってランプピンの突出方向においてランプソケットから離れる方向にランプが移動するのを規制する移動規制部を器具本体に設けたことを特徴とする照明器具。
【請求項２】
前記器具本体は金属製であって、前記移動規制部を当該器具本体の一部を切り起こして形成したことを特徴とする請求項１記載の照明器具。
【請求項３】
切り起こしにより形成される開口部がランプのフィラメント電極側に開口するように前記移動規制部を形成したことを特徴とする請求項２記載の照明器具。
【請求項４】
前記器具本体は樹脂製であって、前記移動規制部が当該器具本体と一体成形された凸部からなることを特徴とする請求項１記載の照明器具。
【請求項５】
前記凸部をランプのフィラメント電極の近傍に設けたことを特徴とする請求項４記載の照明器具。
【請求項６】
前記ランプソケットを前記器具本体に対して移動可能に設けたことを特徴とする請求項１〜５の何れか１項に記載の照明器具。
【請求項７】
前記ランプソケットは、前記接触子が内蔵されたソケット本体と、装着状態におけるランプピンの突出方向と直交する面内でソケット本体を回動自在に支持する支持部とを備え、前記ランプソケットは前記口金と対向する部位にランプピンをソケット本体内部に導入するための導入スリットを有し、支持部に対してソケット本体を回転させるための操作レバーをソケット本体に設け、ランプピンを導入スリット内に挿入した状態において、操作レバーを介してソケット本体を回転させることで前記接触子が対応するランプピンに接触するとともに導入スリットの伸びる方向におけるランプピンの移動を規制することを特徴とする請求項１〜５の何れか１項に記載の照明器具。
【発明の詳細な説明】
【技術分野】
【０００１】
本発明は、照明器具に関するものである。
【背景技術】
【０００２】
従来より、ランプホルダを用いた照明器具があった（例えば特許文献１参照）。この照明器具は、造営材（例えば、天井等）に取付けられる中空の略円盤形状の器具本体を有し、器具本体の内部には円環状のランプが、器具本体に回動可能に取付けられた複数のランプホルダにより吊下げ支持されている。
【特許文献１】特開２００２−２５３３１号公報（段落[０００９]−[００１３]、及び、第１図−第３図）
【発明の開示】
【発明が解決しようとする課題】
【０００３】
上述の特許文献１に示した照明器具では、ランプを器具本体に取付ける際に複数のランプホルダに係留させる必要があり、作業性がよくないという問題があった。また、器具本体に固定され、ランプピンを差し込むことで口金が接続される固定式のランプソケットでは、ランプがランプソケットのみで保持されているため、ランプ装着後に例えば振動等でランプピンがランプソケットから外れる方向にランプが移動し、ランプピンが露出する虞があった。一方、器具本体に対して固定されていない非固定式のランプソケットでは、固定金具を用いて器具本体に取付けられたランプに対してランプソケットを装着する際に、ランプが移動しないようにランプを掴んで接続する必要があり、ランプに不要な荷重が加わるという問題もあった。
【０００４】
本発明は上記問題点に鑑みて為されたものであり、その目的とするところは、装着状態においてランプピンが露出することなく、且つ作業性を向上させた照明器具を提供することにある。
【課題を解決するための手段】
【０００５】
請求項１の発明は、管中間部を中心として略一平面において渦巻状に旋回する発光管、並びに、当該発光管の両端部にそれぞれ設けられ先端側に受電用の一対のランプピンが突設された口金及び両口金の間を連結する連結部からなる口金部を具備したランプの口金が装着されるランプソケットと、ランプソケットが配設された器具本体とを備え、ランプソケットは、装着状態においてランプピンの突出方向と交差する方向から当該ランプピンに接触する給電用の接触子を有し、装着状態において口金部に当接することによってランプピンの突出方向においてランプソケットから離れる方向にランプが移動するのを規制する移動規制部を器具本体に設けたことを特徴とする。
【０００６】
請求項２の発明は、器具本体は金属製であって、移動規制部を当該器具本体の一部を切り起こして形成したことを特徴とする。
【０００７】
請求項３の発明は、切り起こしにより形成される開口部がランプのフィラメント電極側に開口するように移動規制部を形成したことを特徴とする。
【０００８】
請求項４の発明は、器具本体は樹脂製であって、移動規制部が当該器具本体と一体成形された凸部からなることを特徴とする。
【０００９】
請求項５の発明は、凸部をランプのフィラメント電極の近傍に設けたことを特徴とする。
【００１０】
請求項６の発明は、ランプソケットを器具本体に対して移動可能に設けたことを特徴とする。
【００１１】
請求項７の発明は、ランプソケットは、接触子が内蔵されたソケット本体と、装着状態におけるランプピンの突出方向と直交する面内でソケット本体を回動自在に支持する支持部とを備え、ランプソケットは口金と対向する部位にランプピンをソケット本体内部に導入するための導入スリットを有し、支持部に対してソケット本体を回転させるための操作レバーをソケット本体に設け、ランプピンを導入スリット内に挿入した状態において、操作レバーを介してソケット本体を回転させることで接触子が対応するランプピンに接触するとともに導入スリットの伸びる方向におけるランプピンの移動を規制することを特徴とする。
【発明の効果】
【００１２】
請求項１の発明によれば、器具本体に移動規制部を設けることによって、装着状態において移動規制部がランプの口金部に当接することによってランプピンがランプソケットから離れる方向へのランプの移動を規制することができるので、受電用のランプピンが露出するのを防止することができ、したがって感電の危険性を抑えることができるという効果がある。
【００１３】
請求項２の発明によれば、器具本体の一部を切り起こして移動規制部を形成することによって器具本体には開口部が形成され、この開口部を通してランプのフィラメント電極で発生する熱を外部に放熱することができるので、温度上昇に伴うフィラメント電極の寿命の低下を抑えることができ、また別途移動規制部を設ける必要がないので、部品点数を低減することができるという効果がある。
【００１４】
請求項３の発明によれば、開口部がランプのフィラメント電極側に開口するように移動規制部を形成することによって、フィラメント電極で発生する熱の放熱量を増加させることができるので、温度上昇に伴うフィラメント電極の寿命の低下をさらに抑えることができるという効果がある。
【００１５】
請求項４の発明によれば、器具本体と一体成形した凸部を移動規制部とすることで、別途規制部を設ける必要がないので、部品点数を低減することができるという効果がある。
【００１６】
請求項５の発明によれば、移動規制部をなす凸部をランプのフィラメント電極近傍に設けることによって、フィラメント電極で発生する熱を移動規制部を介して器具本体に伝熱し、器具本体表面から外部に放熱することができるので、温度上昇に伴うフィラメント電極の寿命の低下を抑えることができるという効果がある。特に、熱伝導性の高い樹脂を用いた場合には、フィラメント電極の寿命の低下をさらに抑えることができるという効果がある。
【００１７】
請求項６の発明によれば、ランプの位置が移動規制部により規制されているので、ランプソケットを移動させてランプの口金に接続する際にランプが移動することなく保持されるため、ランプの取付作業性が向上するという効果がある。
【００１８】
請求項７の発明によれば、器具本体にランプの移動を規制する移動規制部を設けることによって、装着状態においてランプピンが露出することなく、且つ作業性を向上させた照明器具を実現することができるという効果がある。また、操作レバーを操作することでランプの口金をランプソケットに装着することができるので、ランプの着脱作業を容易に行うことができるという効果がある。
【発明を実施するための最良の形態】
【００１９】
（第１の実施形態）
第１の実施形態を図１〜図６に基づいて説明する。本実施形態の照明器具Ａは、例えば天井等に取付けられ、室内等を照明するために用いられる。
【００２０】
この照明器具Ａは、図１に示すように略平板状の器具本体６と、器具本体６の所定の位置に配置されたランプソケット１と、ランプソケット１が接続されるランプ５とを備えている。
【００２１】
まず、ランプ５について説明する。ランプ５は、全体形状が略円盤状となるように正面視二重渦巻状に形成した発光管２と、発光管２の長さ方向両端部にそれぞれ設けた口金３、３とを備えている。
【００２２】
発光管２は、同一仮想平面において長さ方向の中間部を中心に中間部の両端部分から同一方向の渦巻状に旋回することで二重渦巻状に形成したものであり、このランプ５は発光管２の渦巻と正対する方向（上記仮想平面と正対する方向）から見て、全体として平面状に発光する平面状発光体である。したがって、環状の発光管を有するランプと比較して小形で且つ明るい。また、二重渦巻の中心をなす発光管２の中間部は、他の部位よりも太く形成してあり、その一部が発光管２の片面側（図１（ｂ）の上側）に突出し、突出部２ａを形成している。この突出部２ａは発光管２の最冷部を構成し、ランプ５の安定した発光を実現している。
【００２３】
各口金３は、正面から見て発光管２の中間部を中心として点対称となる位置に配置され、各口金３とその内側の発光管２の部位との間及び発光管２の同部位とさらに内側の発光管２の部位との間には、充填材４８が充填されている。また、両口金３、３は、発光管２の一方側（図１（ｂ）の下側）に配置した連結部７により連結されており、充填材４８及び連結部７によりランプ５の変形が防止されている。尚、充填材４８は連結部７の発光管２側の面上に設けられ、正面から見て連結部７と重なっているので、充填材４８及び連結部７によって塞がれる発光管２の面積を小さくでき、光のロスが少ない。ここに、両口金３、３と、連結部７とで口金部が構成されている。
【００２４】
また、各口金３の端面には平行な２本のランプピン４がそれぞれ突設され、一方の口金３に設けたランプピン４の突出方向と、他方の口金３に設けたランプピン４の突出方向とが逆方向となっている。尚、各口金３の一対のランプピン４は、上記仮想平面と直交する方向（図１（ａ）の前後方向）に沿って並設されている。さらに、図２（ａ）に示すように各口金３は、ランプピン４と反対側の部位にフィラメント電極４９をそれぞれ有しており、このフィラメント電極４９は口金３と発光管２の接続部位近傍に配置される。
【００２５】
次に、器具本体６について説明する。器具本体６は金属製であって略平板状に形成され、一方側の面（図１（ｂ）の上側面）においてランプ５の各口金３に対応する部位には、ランプソケット１が、例えばねじなどを用いてそれぞれ固定されている。また、ランプ５を器具本体６の所定の位置に配置した状態において、連結部７に対して各ランプソケット１と反対側の器具本体６の部位には、連結部７の側面と当接して図１（ａ）のＢ方向のランプ５の回転（ランプピン４がランプソケット１から離れる方向の回転）を規制する略矩形板状の規制立片（移動規制部）４５が、器具本体６の一部を切り起こしてそれぞれ立設されており、さらに各規制立片４５を器具本体６の一部を切り起こして形成することによって、図２（ａ）に示すように略矩形状の開口部４６が対応する口金３の近傍にそれぞれ形成されている。尚、各規制立片４５は、正面から見て発光管２の中間部を中心として点対称となる位置に配置されており、図１（ａ）のＢ方向のランプ５の回転力を両規制立片４５、４５で受けることができるので、各規制立片４５に加わる力を小さくすることができ、規制立片４５を小型化することができる。
【００２６】
したがって、ランプ５を点灯させた際に、フィラメント電極４９で発生する熱を開口部４６を通して外部に放熱することができるので、温度上昇に伴うフィラメント電極４９の寿命の低下を抑えることができる。また、器具本体６の一部を切り起こして規制立片（移動規制部）４５を形成しているので、別途移動規制部を設ける必要がなく部品点数を低減することができる。尚、好ましくは図２（ｂ）に示すように開口部４６がフィラメント電極４９側に開口するように規制立片４５を形成するのがよく、この場合フィラメント電極４９で発生する熱の放熱量を増加させることができるので、温度上昇に伴うフィラメント電極４９の寿命の低下をさらに抑えることができる。
【００２７】
ここで、ランプソケット１について図３〜図５に基づいて説明する。ランプソケット１は、図４及び図５に示すように、ランプ５の各口金３から突出する一対のランプピン４にそれぞれ接触することで電気的に接続される一対の接触子８を有したソケット本体９と、器具本体６に対してソケット本体９を支持するソケット取付台をなす支持部１０とを備えている。尚、以下のランプソケット１の説明においては特に断りがない場合、図４に示す向きにおいて上下左右の方向を規定する。したがって、図４の左側を前面側という。
【００２８】
ソケット本体９は、前面側が開口した有底円筒状の内ボディ１１と、内ボディ１１に収納される一対の導電板１２と、内ボディ１１との間に一対の導電板１２を収納する形で内ボディ１１の前面側に取着される内カバー１３とを有する。内ボディ１１及び内カバー１３は、いずれも絶縁性を有する樹脂材料からなる合成樹脂成形品である。
【００２９】
一対の導電板１２は、対称形状に形成されたものであって、例えば弾性を有する金属材料からなる板材を折曲形成したものであり、各導電板１２は接触子８と、ランプ５への給電用の電線１４が電気的に接続されるとともに電線１４を機械的に保持する端子部１５と、接触子８及び端子部１５を連続一体に連結する連結片１６とを備えている。
【００３０】
端子部１５は、連結片１６に連続し電線１４の挿入方向に沿って配置された接続片１５ａと、接続片１５ａにおける連結片１６と反対側の端縁から電線１４の挿入方向に直交するように立設された立設片１５ｂと、立設片１５ｂの先端縁から接続片１５ａに向けて延設された鎖錠片１５ｃとを具備し、立設片１５ｂに設けた芯線挿入孔１５ｄを通った電線１４の芯線１４ａを鎖錠片１５ｃの先端縁と接続片１５ａとの間に挟持することにより、電線１４の機械的保持と電気的接続とを同時に行う所謂速結端子である。各導電板１２は、接触子８を前面側、端子部１５の芯線挿入孔１５ｄを後面側に向けた状態で内ボディ１１に収納される。ここで、内ボディ１１の後壁において各導電板１２の芯線挿入孔１５ｄに対応する部位には、ソケット本体９内に電線１４を挿入するための引出孔１７がそれぞれ貫設され、引出孔１７からソケット本体９内に電線１４を挿入することにより、電線１４の芯線１４ａを端子部１５に接続できるようになっている。
【００３１】
連結片１６は、下方に凸となるコ字状に形成され、内ボディ１１の内周面の下部に設けた導電板固定部１８に挿入した状態で内ボディ１１に位置決めされる。また、連結片１６の上方には、一対の接触子８が左右方向に並んで延設されている。
【００３２】
各接触子８は、上端部に互いに離れる向きに折り返された引掛部８ａが形成され、この引掛部８ａを後述する内カバー１３の一部に引掛けることによりソケット本体９内に位置決めされる。また、各接触子８の上下方向の略中央部には、互いに離れる向きに凸となるピン保持部８ｂがそれぞれ形成されている。
【００３３】
上述のように構成された一対の導電板１２は、各接触子８を互いに対向させた状態で内ボディ１１に取り付けられる。ここで、接触子８のピン保持部８ｂ間の距離は、一対のランプピン４をピン保持部８ｂ間に配置した際に、各ランプピン４が対応するピン保持部８ｂにそれぞれ接触する距離となるように設定されている。
【００３４】
したがって、一対のランプピン４を一対の接触子８の間に挿入し両ピン保持部８ｂ、８ｂで挟持することにより、各ランプピン４が対応する接触子８に電気的に接続される。
【００３５】
内ボディ１１は、接触子８及び連結片１６を収納する円筒状の太筒部１９と、端子部１５を収納する円筒状の細筒部２０とが、太筒部１９を前方、細筒部２０を後方とするとともに互いの中心軸を一致させるように前後方向に連結され一体に形成されている。尚、太筒部１９は、細筒部２０よりも直径（内径）が大きく設定されている。太筒部１９の上部には、内カバー１３に形成された後述するピン挿入孔２１に連通する導入口２２が前方に開放される形で形成されている。また、内ボディ１１は、太筒部１９の外周面において導入口２２の開口縁部から太筒部１９の径方向に突出する操作レバー２３を有している。
【００３６】
内カバー１３は、略円形状のピン挿入孔２１が前壁の中央部に貫設され、前壁の周部から後方に向けて内周壁２４が立設されている。内カバー１３の前壁には、ピン挿入孔２１を上方に開放する切欠２５が設けられており、この切欠２５を介してピン挿入孔２１は内ボディ１１の導入口２２と連通する。ピン挿入孔２１の直径は口金３から突出する一対のランプピン４の間隔よりも大きく設定されており、一対のランプピン４がピン挿入孔２１に挿入された状態で内カバー１３を口金３に対して相対的に回転可能としてある。内カバー１３は、内周壁２４を内ボディ１１の太筒部１９内に挿入した状態で内ボディ１１に組み合わされ、太筒部１９の内周面に突設された係合爪２６を内周壁２４に貫設した係合孔２７の縁部に係合させることにより内ボディ１１と結合される。このように内ボディ１１と内カバー１３とを結合した状態では、内カバー１３によって内ボディ１１からの導電板１２の抜け止めが為される。さらに、内周壁２４の上部には切欠２５に連通する開口部２８が形成されており、この開口部２８の周縁に接触子８の引掛部８ａが引掛けられる。
【００３７】
一方、支持部１０は、前面側が開口した有底円筒状の外ボディ２９と、外ボディ２９との間にソケット本体９を収納した状態で外ボディ２９の前面側に取着される外カバー３０とを有する。外ボディ２９及び外カバー３０は、いずれも絶縁性を有する樹脂材料からなる合成樹脂成形品である。さらに、外ボディ２９は、内ボディ１１に用いられている樹脂材料に対して摺動性が良好な樹脂材料が用いられている。
【００３８】
外ボディ２９は、ソケット本体９の太筒部１９を収納する円筒状の摺動部３１と、細筒部２０を収納する円筒状の挿通部３２とが、摺動部３１を前方、挿通部３２を後方とするとともに互いの中心軸を一致させるように前後方向に連結され一体に形成されている。尚、摺動部３１は、挿通部３２よりも直径（内径）が大きく設定されている。摺動部３１の内径はソケット本体９の太筒部１９の外径と略同寸法に設定されており、そのためソケット本体９を外ボディ２９に取り付けた際には、ソケット本体９の内ボディ１１の中心軸（太筒部１９の中心軸）と、外ボディ２９の中心軸（摺動部３１の中心軸）とが一致する。また、挿通部３２の後壁に貫設された露出孔３３の内径はソケット本体９の細筒部２０の外径と略同寸法に設定されている。そのため、ソケット本体９は、太筒部１９の外周面が摺動部３１の内周面に当接するとともに、細筒部２０の後部が露出孔３３を通して後方に突出した状態で外ボディ２９に嵌合されるから、前後方向を回転軸方向として回転自在に外ボディ２９に支持される。つまり、ソケット本体９は、外ボディ２９に枢支される。
【００３９】
ところで、摺動部３１の外周壁には、操作レバー２３が挿通される操作窓３４が開口している。この操作窓３４は、摺動部３１の周方向に操作レバー２３を移動させることが可能な大きさに形成されている。尚、挿通部３２の外周面は、後方に行くほど外径が小さくなるようなテーパ状に形成されている。
【００４０】
外カバー３０は、上下方向に沿って延長され上方に開放された案内スリット３５が前壁に形成され、前壁の周部から後方に外周壁３６が立設されている。この案内スリット３５は、一対のランプピン４が挿入されるように左右方向の寸法が各ランプピン４の直径よりもやや大きく設定され、上下方向の寸法が一対のランプピン４の間隔よりも大きく設定されている。ここに、内ボディ１１の導入口２２と、内カバー１３のピン挿入口２１及び切欠２５と、外カバー３０の案内スリット３５とで導入スリットが構成されている。この外カバー３０は、外ボディ２９の摺動部３１を外周壁３６で囲んだ状態で外ボディ２９に組み合わされ、摺動部３１の外周面に突設された組立爪３７を、外周壁３６に貫設した組立孔３８に係合させることにより外ボディ２９と結合される。また、外周壁３６は、外ボディ２９と外カバー３０とを結合した状態で外ボディ２９の操作窓３４に対応する部位に開口し案内スリット３５と連通する開放部３９を有している。尚、外周壁３６の周方向における開放部３９の寸法は、外ボディ２９の操作窓３４よりも大きく設定されている。
【００４１】
さらに、外カバー３０の前壁背面における略中央部には、中心線が外ボディ２９の中心軸と一致するように後方に突出する軸突起４０が設けられている。この軸突起４０は、外ボディ２９と外カバー３０との間にソケット本体９を収納した状態では、ソケット本体９のピン挿入孔２１を通してソケット本体９に挿入されて、一対の接触子８により狭持される。ところで、軸突起４０には、案内スリット３５を通るランプピン４との干渉を避けるための逃げ凹部４０ａが形成されている。また、逃げ凹部４０ａの幅方向の寸法は案内スリット３５の幅方向の寸法と略同じ寸法に設定され、深さ寸法は口金３からのランプピン４の突出寸法よりも大きく設定されている。したがって、ランプピン４を案内スリット３５内で移動させる際に、ランプピン４が逃げ凹部４０ａを通過することにより、ランプピン４の移動に際して軸突起４０が邪魔になることがない。
【００４２】
また、支持部１０の外ボディ２９において外周面の下部には、ランプソケット１を器具本体６に固定する際に用いられる固定部４１が設けられており、この固定部４１を、例えばねじ止めなどの方法により器具本体６に固定することにより、ランプソケット１が器具本体６に固定される。尚、本実施形態のランプソケット１は、ソケット本体９を支持部１０内に収納する形で組み立てられ、ソケット本体９が前後方向を回転軸方向として回転自在に支持部１０に支持される。
【００４３】
次に、照明器具Ａの組み立て方法について説明する。ランプソケット１は、図３（ａ）の上側が前面側となるように、且つ、一方のランプソケット１に対して他方のランプソケットの向きが逆向きとなるように器具本体６に固定されている（図１（ａ）参照）。尚、図３（ａ）に示す状態において一対の接触子８は、図６（ａ）に示すように支持部１０の案内スリット３５の長手方向と交差する方向に沿って対向した状態で配置されている。
【００４４】
まず、ランプ５の各口金３の一対のランプピン４をそれぞれ対応するランプソケット１の案内スリット３５内に挿入してランプ５を所定の位置に配置する。この状態において図１（ａ）のＢ方向のランプ５の回転（ランプピン４がランプソケット１から離れる方向の回転）は、各規制立片４５により規制されている。したがって、ランプソケット１の操作レバー２３を操作してランプ５を器具本体６に取付ける際に、ランプ５が図１（ａ）のＢ方向に回転することなく保持されるため、ランプ５の取付作業性が向上する。また、この状態において各ランプピン４は、図６（ａ）に示すように対応する接触子８と非接触の状態にあり、電気的に接続されていない。したがって、この状態では一対のランプピン４は一対の接触子８に保持されていないので、案内スリット３５の長手方向に沿って自由に移動させることができる。
【００４５】
次に、ランプピン４を案内スリット３５内に挿入した状態から操作レバー２３を操作してソケット本体９を図３（ａ）の右回りに回転させると、一対の接触子８は図６（ｂ）のＣ方向に回転し、さらにソケット本体９を図３（ｂ）に示す位置まで回転させると、図６（ｃ）に示すように一対の接触子８は９０°回転して各ピン保持部８ｂが対応するランプピン４とそれぞれ接触し、挟み込み支持する形で一対の接触子８と一対のランプピン４とが電気的に接続されるとともにランプ５がランプソケット１に機械的に保持され、照明器具Ａの組み立てが完了する。この状態において一対のランプピン４は、一対の接触子８により案内スリット３５の長手方向に沿った移動が規制される。尚、接触子８は弾性を有する金属材料からなる板材を用いて形成された導電板１２の一部であるから、図６（ｃ）の状態においてランプピン４と接触子８との間の接圧は確保されている。
【００４６】
この照明器具Ａでは、器具本体６の一部を切り起こして規制立片４５を設けることによって、ランプソケット１に口金３を装着した状態において規制立片４５が連結部７の側面に当接して口金３がランプソケット１から離れる方向へのランプ５の回転を規制しているので、受電用のランプピン４が露出するのを防止でき、感電の危険性を抑えることができる。また、器具本体６に規制立片４５を設けることによって、装着状態において口金３のランプピン４が露出することなく、且つ作業性を向上させた照明器具Ａを実現することができる。さらに、操作レバー２３を操作することで口金３をランプソケット１に装着することができるので、ランプ５の着脱作業を容易に行うことができる。
【００４７】
（第２の実施形態）
第２の実施形態を図７に基づいて説明する。本実施形態の照明器具Ａは、器具本体６と、ランプソケット１と、ランプ５とを備えている。第１の実施形態で説明した照明器具Ａでは、器具本体６が金属製であって器具本体６の一部を切り起こして形成した規制立片４５で移動規制部を構成しているのに対して、本実施形態では器具本体６が樹脂製であって器具本体６と一体成形した規制凸部４７で移動規制部を構成している。尚、それ以外の構成は第１の実施形態と同様であり、同一の構成要素には同一の符号を付して説明は省略する。
【００４８】
器具本体６は合成樹脂製であって略平板状に形成され、一方側の面（図７（ｂ）の上側面）においてランプ５の各口金３に対応する部位に、ランプソケット１がそれぞれ固定されている。また、同一面においてランプ５の連結部７に対して各ランプソケット１と反対側の部位には、連結部７の側面と当接して図７（ａ）のＤ方向のランプ５の回転（ランプピン４がランプソケット１から離れる方向の回転）を規制する規制凸部（移動規制部）４７が器具本体６と一体成形されている。
【００４９】
規制凸部４７は、正面（図７（ａ）の前面）から見て略円形状であって中央部に凹部を有する断面視略Ｍ字状に形成され、器具本体６の上面から上方（図７（ｂ）の上側）に突設されている。尚、規制凸部４７は、好ましくはフィラメント電極４９の近傍に設けるのがよく、この場合フィラメント電極４９で発生した熱を規制凸部４７を介して器具本体６に伝熱し、器具本体６の表面から外部に放熱することができるので、温度上昇に伴うフィラメント電極４９の寿命の低下を抑えることができる。より好ましくは熱伝導性の高い樹脂を用いるのがよく、フィラメント電極４９の寿命の低下をさらに抑えることができる。
【００５０】
この照明器具Ａでは、器具本体６と一体成形した規制凸部４７で移動規制部を構成しているので、別途移動規制部を設ける必要がなく部品点数を低減できる。
【００５１】
（第３の実施形態）
第３の実施形態を図８に基づいて説明する。本実施形態の照明器具Ａは、器具本体６と、ランプソケット１と、ランプ５とを備えている。第１の実施形態で説明した照明器具Ａでは、器具本体６にランプソケット１を固定し、各ランプソケット１に対応するランプ５の口金３を装着することでランプ５を保持しているのに対して、本実施形態では器具本体６にランプ５を保持するための保持金具５０を器具本体６に設け、器具本体６に対して移動可能（器具本体６に固定されていない）に設けたランプソケット１を保持金具５０を用いて器具本体６に保持させたランプ５の口金３に装着している。尚、それ以外の構成は第１の実施形態と同様であり、同一の構成要素には同一の符号を付して説明は省略する。
【００５２】
器具本体６は金属製であって略平板状に形成され、一方側の面（図８（ｂ）の上側面）においてランプ５の各口金３に対応する部位には、ランプ５を器具本体６に保持するための保持金具５０がそれぞれ設けられており、またランプソケット１が器具本体６に対して移動可能な状態で所定の位置に設けられている。
【００５３】
ランプソケット１は、ランプ５の口金３と対向する部位に口金３のランプピン４が差し込まれる差込部（図示せず）が設けられ、この差込部の内側には各ランプピン４と電気的に接続する一対の接触子（図示せず）が配置されている。尚、装着状態において各ランプピン４は対応する接触子と弾接する形で接続されており、ランプソケット１はこの弾接力により口金３に装着保持されている。
【００５４】
次に、照明器具Ａの組み立て方法について説明する。まず、ランプ５の各口金３を器具本体６に設けた保持金具５０にそれぞれ取付け、ランプ５を器具本体６に保持させる。この状態において図８（ａ）のＥ方向のランプ５の回転（ランプピン４がランプソケット１から離れる方向の回転）は、各規制立片４５により規制されている。そして、各ランプソケット１を対応する口金３に近づけ、口金３のランプピン４をランプソケット１の差込部に差し込むと照明器具Ａの組み立てが完了する。
【００５５】
この照明器具Ａでは、図８（ａ）のＥ方向のランプ５の回転が規制立片４５により規制されているので、ランプソケット１をランプ５の口金３に装着する際にランプ５が回転することなく保持されるため、ランプソケット１の取付作業性が向上する。
【００５６】
尚、本実施形態では、金属製の器具本体６を用いた場合を例に説明したが、器具本体６は金属製のものに限定されるものではなく、第２の実施形態で説明した樹脂製の器具本体６を用いてもよい。
【００５７】
また、上記第１〜第３の実施形態において、移動規制部が器具本体６の一部を切り起こして形成した規制立片４５又は器具本体６と一体に設けた規制凸部４７の場合を例に説明したが、移動規制部は本実施形態に限定されるものではなく、装着状態において口金部と当接することによってランプの移動を規制するものであればよい。また、移動規制部の形状や大きさについても適宜設計すればよい。
【図面の簡単な説明】
【００５８】
【図１】第１の実施形態の照明器具を示し、（ａ）は正面図、（ｂ）は一部省略せる側面図である。
【図２】同上の要部を示し、（ａ）は一の例を示す詳細図、（ｂ）は他の例を示す詳細図である。
【図３】同上に用いられるランプソケットを示し、（ａ）は装着前の斜視図、（ｂ）は装着後の斜視図である。
【図４】同上に用いられるランプソケットの分解斜視図である。
【図５】同上に用いられるランプソケットを反対側から見た分解斜視図である。
【図６】（ａ）〜（ｃ）はランプピンと接触子の位置関係を説明する説明図である。
【図７】第２の実施形態の照明器具を示し、（ａ）は正面図、（ｂ）は一部破断せる側面図である。
【図８】第３の実施形態の照明器具を示し、（ａ）は正面図、（ｂ）は一部省略せる側面図である。
【符号の説明】
【００５９】
１    ランプソケット
２    発光管
３    口金
４    ランプピン
５    ランプ
６    器具本体
７    連結部
８    接触子
４５  規制立片（移動規制部）
Ａ    照明器具
【図１】
2008243626.tif 000003
【図２】
2008243626.tif 000004
【図３】
2008243626.tif 000005
【図４】
2008243626.tif 000006
【図５】
2008243626.tif 000007
【図６】
2008243626.tif 000008
【図７】
2008243626.tif 000009
【図８】
2008243626.tif 000010